【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
受け入れ装置に着脱可能なトナーカートリッジであって、
トナーを収容するための収容部と、前記収容部から前記受け入れ装置へトナーを排出するための排出口と、を有する容器と、
前記排出口を閉じるための閉じ部と、前記閉じ部に対して移動可能な係合部と、を有する開閉部材であって、（ａ）前記閉じ部に前記排出口を開かせる開位置と、（ｂ）前記閉じ部に前記排出口を閉めさせる閉位置と、の間を前記容器に対して回転し得る開閉部材と
を有し、
前記係合部は（ｃ）前記開閉部材を前記開位置から前記閉位置に動かすための力を前記トナーカートリッジが前記受け入れ装置から取り外される際に受けるべく前記受け入れ装置に係合するための係合位置と、（ｄ）前記係合位置から退避した退避位置と、の間を前記閉じ部に対して移動可能であり、
前記開閉部材が前記閉位置から前記開位置へ回転することに伴って、前記係合部が前記退避位置から前記係合位置へ移動するように構成されたことを特徴とするトナーカートリッジ。
【請求項２】
前記開閉部材が前記閉位置から前記開位置へ回転することによって、前記係合部が前記退避位置から前記係合位置へ移動するように構成されたことを特徴とする請求項１に記載のトナーカートリッジ。
【請求項３】
前記開閉部材が前記閉位置から前記開位置に回転することに伴って前記係合部を前記退避位置から前記係合位置へ移動させる、前記容器に設けられた係合位置移動部を有することを特徴とする請求項１または２に記載のトナーカートリッジ。
【請求項４】
前記係合位置移動部は、前記係合部を前記係合位置へ向けて付勢するための付勢部を有することを特徴とする請求項３に記載のトナーカートリッジ。
【請求項５】
前記係合位置移動部は、前記容器に設けられた凸部によって形成されていることを特徴とする請求項３または４に記載のトナーカートリッジ。
【請求項６】
前記係合位置移動部は、前記容器に設けられた凹部によって形成されていることを特徴とする請求項３または４に記載のトナーカートリッジ。
【請求項７】
前記開閉部材が前記開位置に位置する際に前記係合部を前記係合位置に保持する、前記容器に設けられた係合位置保持部を有することを特徴とする請求項１乃至６のいずれか１項に記載のトナーカートリッジ。
【請求項８】
前記開閉部材が前記閉位置から前記開位置に回転することに伴って、前記係合部を前記退避位置から前記係合位置へ移動させるための弾性部を有することを特徴とする請求項１乃至７のいずれか１項に記載のトナーカートリッジ。
【請求項９】
前記開閉部材は、前記係合部を支持する支持部を有し、
前記支持部が前記弾性部を有することを特徴とする請求項８に記載のトナーカートリッジ。
【請求項１０】
前記開閉部材は、前記係合部を支持し前記閉じ部に対して移動可能な支持部を有し、
前記弾性部は、前記支持部を付勢するための弾性部材であることを特徴とする請求項８に記載のトナーカートリッジ。
【請求項１１】
前記弾性部は金属製であることを特徴とする請求項８乃至１０のいずれか１項に記載のトナーカートリッジ。
【請求項１２】
前記開閉部材が前記開位置から前記閉位置へ回転することに伴い、前記係合部が前記係合位置から前記退避位置へ移動するように構成されたことを特徴とする請求項１乃至１１のいずれか１項に記載のトナーカートリッジ。
【請求項１３】
前記開閉部材が前記開位置から前記閉位置へ回転することによって、前記係合部が前記係合位置から前記退避位置へ移動するように構成されたことを特徴とする請求項１２に記載のトナーカートリッジ。
【請求項１４】
前記開閉部材が前記開位置から前記閉位置に回転することに伴い、前記係合部を前記係合位置から前記退避位置へ移動させる、前記容器に設けられた退避位置移動部を有することを特徴とする請求項１２または１３に記載のトナーカートリッジ。
【請求項１５】
前記退避位置移動部は、前記係合部を前記退避位置へ向けて付勢するための付勢部を有することを特徴とする請求項１４に記載のトナーカートリッジ。
【請求項１６】
前記退避位置移動部は、前記容器に設けられた凸部によって形成されていることを特徴とする請求項１４または１５に記載のトナーカートリッジ。
【請求項１７】
前記退避位置移動部は、前記容器に設けられた凹部によって形成されていることを特徴とする請求項１４または１５に記載のトナーカートリッジ。
【請求項１８】
前記開閉部材が前記閉位置に位置する際に前記係合部を前記退避位置に保持する、前記容器に設けられた退避位置保持部を有することを特徴とする請求項１乃至１７のいずれか１項に記載のトナーカートリッジ。
【請求項１９】
前記開閉部材が前記開位置から前記閉位置に回転することに伴って、前記係合部を前記係合位置から前記退避位置へ移動させるための第２の弾性部を有することを特徴とする請求項１乃至１８のいずれか１項に記載のトナーカートリッジ。
【請求項２０】
前記開閉部材は、前記係合部を支持する支持部を有し、
前記支持部が前記第２の弾性部を有することを特徴とする請求項１９に記載のトナーカートリッジ。
【請求項２１】
前記開閉部材は、前記係合部を支持し前記閉じ部に対して移動可能な支持部を有し、
前記第２の弾性部は、前記支持部を付勢するための弾性部材であることを特徴とする請求項１９に記載のトナーカートリッジ。
【請求項２２】
前記第２の弾性部は金属製であることを特徴とする請求項１９乃至２１のいずれか１項に記載のトナーカートリッジ。
【請求項２３】
前記係合部は、少なくとも前記開閉部材の回転軸線方向に移動することによって前記退避位置から前記係合位置へ移動することを特徴とする請求項１乃至２２のいずれか１項に記載のトナーカートリッジ。
【請求項２４】
前記係合部は、少なくとも前記回転軸線方向における内側に移動することによって前記退避位置から前記係合位置へ移動することを特徴とする請求項２３に記載のトナーカートリッジ。
【請求項２５】
前記係合部は、少なくとも前記開閉部材の回転半径方向に移動することによって前記退避位置から前記係合位置へ移動することを特徴とする請求項１乃至２４のいずれか１項に記載のトナーカートリッジ。
【請求項２６】
前記係合部は、少なくとも前記開閉部材の回転半径方向外側に移動することによって前記退避位置から前記係合位置へ移動することを特徴とする請求項２５に記載のトナーカートリッジ。
【請求項２７】
前記係合部が、前記開閉部材の回転半径方向外側に少なくとも突出している第１の突起を有することを特徴とする請求項１乃至２６のいずれか１項に記載のトナーカートリッジ。
【請求項２８】
前記係合部が、前記開閉部材が前記容器に対して前記閉位置から前記開位置に回転する方向において下流側に少なくとも突出している第２の突起を有することを特徴とする請求項２７に記載のトナーカートリッジ。
【請求項２９】
前記第２の突起は、前記第１の突起に設けられていることを特徴とする請求項２８に記載のトナーカートリッジ。
【請求項３０】
前記第２の突起の高さは、前記第１の突起の高さに比べて低いことを特徴とする請求項２８または２９に記載のトナーカートリッジ。
【請求項３１】
前記開閉部材は前記係合部を支持する支持部を有することを特徴とする請求項１乃至３０のいずれか１項に記載のトナーカートリッジ。
【請求項３２】
前記支持部が変形することによって、前記係合部は前記退避位置と前記係合位置の間を移動することを特徴とする請求項３１に記載のトナーカートリッジ。
【請求項３３】
前記支持部がスライド移動することによって、前記係合部は前記退避位置と前記係合位置の間を移動することを特徴とする請求項３１または３２に記載のトナーカートリッジ。
【請求項３４】
前記支持部が回転することによって、前記係合部は前記退避位置と前記係合位置の間を移動することを特徴とする請求項３１乃至３３のいずれか１項に記載のトナーカートリッジ。
【請求項３５】
前記開閉部材は、前記閉じ部の先端側に向けて延びるアーム部を有し、
前記アーム部の先端側に前記係合部が設けられていることを特徴とする請求項１乃至３４のいずれか１項に記載のトナーカートリッジ。
【請求項３６】
前記開閉部材は、前記容器と係合して前記開閉部材を前記閉位置にロックするロック部を有することを特徴とする請求項１乃至３５のいずれか１項に記載のトナーカートリッジ。
【請求項３７】
前記ロック部は、前記開閉部材をロックするロック位置と、前記ロックを解除するロック解除位置との間を前記閉じ部に対して移動可能である請求項３６に記載のトナーカートリッジ。
【請求項３８】
前記開閉部材は、前記ロック部を前記ロック位置から前記ロック解除位置へ動かすための力を受けるロック解除力受け部を有する請求項３７に記載のトナーカートリッジ。
【請求項３９】
前記ロック解除力受け部は、前記トナーカートリッジが前記受け入れ装置に装着されることに伴って、前記受け入れ装置から力を受けることを特徴とする請求項３８に記載のトナーカートリッジ。
【請求項４０】
前記ロック部を覆うカバー部を有することを特徴とする請求項３６乃至３９のいずれか１項に記載のトナーカートリッジ。
【請求項４１】
前記受け入れ装置は、前記排出口から排出されたトナーを受け入れる受入口と、前記受入口を開閉する受け入れ装置側開閉部材と、を有するものであって、
前記トナーカートリッジは、前記トナーカートリッジが前記受け入れ装置から取り外されることに伴い前記受入口を閉めさせるべく前記受け入れ装置側開閉部材に力を加える閉塞力付与部を有することを特徴とする請求項１乃至４０のいずれか１項に記載のトナーカートリッジ。
【請求項４２】
前記閉塞力付与部は、前記受け入れ装置側開閉部材に係合し得る突起であることを特徴とする請求項４１に記載のトナーカートリッジ。
【請求項４３】
前記閉塞力付与部は、前記受け入れ装置側開閉部材に設けられた穴と係合するように構成されることを特徴とする請求項４１または４２に記載のトナーカートリッジ。
【請求項４４】
前記トナーカートリッジが前記受け入れ装置に挿入される際の姿勢を規制するための姿勢規制部を有し、
前記姿勢規制部は、前記閉塞力付与部が前記受け入れ装置側開閉部材と係合し得るように、前記トナーカートリッジの姿勢を規制することを特徴とする請求項４１乃至４３のいずれか１項に記載のトナーカートリッジ。
【請求項４５】
前記受け入れ装置側開閉部材は、前記受入口を閉める位置にロックされており、
前記閉塞力付与部は、前記受け入れ装置側開閉部材と係合することに伴って前記受け入れ装置側開閉部材のロックを解除することを特徴とする請求項４１乃至４４のいずれか１項に記載のトナーカートリッジ。
【請求項４６】
前記開閉部材が前記閉位置にある際に前記係合部は、前記開閉部材が前記容器に対して前記開位置から前記閉位置に回転する回転方向において、前記排出口よりも下流側であってかつ前記閉塞力付与部よりも上流側に配置されることを特徴とする請求項４１乃至４５のいずれか１項に記載のトナーカートリッジ。
【請求項４７】
前記閉塞力付与部は、前記トナーカートリッジが前記受け入れ装置に装着されることに伴って前記受け入れ装置側開閉部材に前記受入口を開かせることを特徴とする請求項４１乃至４６のいずれか１項に記載のトナーカートリッジ。
【請求項４８】
前記受け入れ装置は、前記排出口から排出されたトナーを受け入れる受入口と、前記受入口を開閉する受け入れ装置側開閉部材と、を有するものであって、
前記トナーカートリッジは、前記トナーカートリッジが前記受け入れ装置に装着されることに伴って前記受入口を開かせるべく前記受け入れ装置側開閉部材に力を加える開放力付与部を有することを特徴とする請求項１乃至４７のいずれか１項に記載のトナーカートリッジ。
【請求項４９】
前記開放力付与部は、前記容器に設けられた段差部であることを特徴とする請求項４８に記載のトナーカートリッジ。
【請求項５０】
前記受け入れ装置は、
前記排出口から排出されたトナーを受け入れる受入口と、
前記受入口を開閉する受け入れ装置側開閉部材と、
前記受入口を閉じた位置に前記受け入れ装置側開閉部材をロックする受け入れ装置側ロック部材と、
を有し、
前記トナーカートリッジは、前記受け入れ装置側ロック部材のロックを解除するためのロック解除部を有することを特徴とする請求項１乃至４９のいずれか１項に記載のトナーカートリッジ。
【請求項５１】
前記ロック解除部は、前記受け入れ装置側ロック部材と接触し得る突起であることを特徴とする請求項５０に記載のトナーカートリッジ。
【請求項５２】
前記ロック解除部は、前記受け入れ装置側開閉部材に設けられた穴に進入するように構成されることを特徴とする請求項５０または５１に記載のトナーカートリッジ。
【請求項５３】
前記トナーカートリッジが前記受け入れ装置に挿入される際の挿入姿勢を規制するための姿勢規制部を有し、
前記姿勢規制部は、前記ロック解除部が前記受け入れ装置側ロック部材に接触するように、前記トナーカートリッジの挿入姿勢を規制することを特徴とする請求項５０乃至５２のいずれか１項に記載のトナーカートリッジ。
【請求項５４】
前記ロック解除部は、前記トナーカートリッジが前記受け入れ装置から取り外されることに伴い、前記受け入れ装置側ロック部材が前記受け入れ装置側開閉部材をロックするのを許容することを特徴とする請求項５０乃至５３のいずれか１項に記載のトナーカートリッジ。
【請求項５５】
前記開閉部材は、前記開閉部材を前記閉位置から前記開位置へと動かす力を前記トナーカートリッジが前記受け入れ装置に装着されることに伴って受け得る開放力受け部を有することを特徴とする請求項１乃至５４のいずれか１項に記載のトナーカートリッジ。
【請求項５６】
前記トナーカートリッジは、回転動作を伴う装着動作によって前記受け入れ装置に装着されることを特徴とする請求項１乃至５５のいずれか１項に記載のトナーカートリッジ。
【請求項５７】
前記開閉部材は、前記回転動作に伴って前記開位置から前記閉位置へと回転することを特徴とする請求項５６に記載のトナーカートリッジ。
【請求項５８】
前記トナーカートリッジは、前記受け入れ装置に略直線的に挿入されたのち前記回転動作を行うことによって前記受け入れ装置に装着されることを特徴とする請求項５６または５７に記載のトナーカートリッジ。
【請求項５９】
前記受け入れ装置に対する前記トナーカートリッジの装着をガイドするためのガイド部を有することを特徴とする請求項１乃至５８のいずれか１項に記載のトナーカートリッジ。
【請求項６０】
前記容器は、前記開閉部材の回転をガイドする開閉ガイドを有することを特徴とする請求項１乃至５９のいずれか１項に記載のトナーカートリッジ。
【請求項６１】
前記収容部のトナーを前記排出口に向けて搬送するための搬送部材を有することを特徴とする請求項１乃至６０のいずれか１項に記載のトナーカートリッジ。
【請求項６２】
前記搬送部材を駆動させるための回転力を前記トナーカートリッジの外部から受け得る回転力受け部を有することを特徴とする請求項６１に記載のトナーカートリッジ。
【請求項６３】
前記回転力受け部の回転方向は、前記開閉部材が前記容器に対して前記開位置から前記閉位置に回転する回転方向と同じ向きであることを特徴とする請求項６２に記載のトナーカートリッジ。
【請求項６４】
前記回転力受け部の回転軸線と、前記開閉部材の回転軸線は異なる位置に配置されていることを特徴とする請求項６３に記載のトナーカートリッジ。
【請求項６５】
前記容器は、実質的に円弧形状である円弧部を有し、
前記円弧部に前記排出口が設けられ、前記円弧部に沿って前記開閉部材は回転することを特徴とする請求項１乃至６４のいずれか１項に記載のトナーカートリッジ。
【請求項６６】
前記容器は実質的に円筒形状である円筒部を有することを特徴とする請求項１乃至６５のいずれか１項に記載のトナーカートリッジ。
【請求項６７】
前記円筒部の曲面に沿って前記開閉部材が回転することを特徴とする請求項６６に記載のトナーカートリッジ。
【請求項６８】
前記容器の長手方向端部における径が、前記容器の前記排出口近傍における径よりも大きいことを特徴とする請求項６６または６７に記載のトナーカートリッジ。
【請求項６９】
前記閉じ部は、実質的に円弧形状であることを特徴とする請求項１乃至６８のいずれか１項に記載のトナーカートリッジ。
【請求項７０】
前記トナーカートリッジを把持するための把持部を有することを特徴とする請求項１乃至６９のいずれか１項に記載のトナーカートリッジ。
【請求項７１】
前記トナーカートリッジを所定の挿入方向にガイドする、前記容器に設けられたガイド部を有し、
前記開閉部材の回転軸線と垂直な投影面に前記トナーカートリッジを投影した際、前記回転軸線を通り前記挿入方向に平行な仮想線で前記トナーカートリッジを２つの領域に分割すると、前記把持部は、前記排出口と同じ領域に位置することを特徴とする請求項７０に記載のトナーカートリッジ。
【請求項７２】
請求項１乃至７１のいずれか１項に記載のトナーカートリッジと、
前記トナーカートリッジを装着するための装着部を有する前記受け入れ装置と、
を有することを特徴とするトナー供給機構。
【手続補正２】
【補正対象書類名】明細書
【補正対象項目名】発明の名称
【補正方法】変更
【補正の内容】
【発明の名称】トナーカートリッジ、トナー供給機構
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】